(57)【要約】本発明は、複数の受信装置（移動局装置）により共有される無線信号チャネルに、該複数の受信装置から選択した受信装置に対する送信データを割り当てる割り当て方法を提供する。送信装置（基地局装置）は、複数の受信装置のそれぞれから周期的に送信される各受信装置の受信品質データを受信し、受信した各受信装置の１つまたは複数の過去の受信品質データおよび各受信装置の現在の受信品質データに基づいて、無線信号チャネルを介したデータ送信時における、各受信装置の受信品質に関する未来予測値を求める。そして、送信装置は、データ送信時における各受信装置の未来予測値に基づいて、受信装置を選択し、該選択した受信装置に対する送信データを無線信号チャネルに割り当てて、送信する。データ送信時における受信品質に関する未来予測値により受信装置を選択するので、データ送信時に最良の受信状態にある受信装置をより正確に選択でき、スループットを向上させることができる。
2004098225.tif 000002
【特許請求の範囲】
【請求項１】
複数の受信装置の少なくとも１つに、該複数の受信装置により共有されるチャネルを介して無線信号によりデータを送信する送信装置であって、
前記複数の受信装置のそれぞれから周期的に送信される各受信装置の受信品質データを受信する受信部と、
前記各受信装置の１つまたは複数の過去の受信品質データを記憶する記憶部と、
前記記憶部に記憶された各受信装置の１つまたは複数の過去の受信品質データおよび前記受信部に受信された各受信装置の現在の受信品質データに基づいて、前記チャネルを介したデータ送信時における、各受信装置の受信品質に関する未来予測値を求める予測処理部と、
前記予測処理部により求められたデータ送信時における各受信装置の未来予測値に基づいて、受信装置を選択し、該選択した受信装置に対する送信データを前記チャネルに割り当てる割り当て処理部と、
を備える送信装置。
【請求項２】
請求の範囲第１項において、
前記チャネルは、複数のタイムスロットを有し、
前記データ送信時は、前記複数のタイムスロットの１つの送信時刻であり、
前記割り当て処理部は、前記複数のタイムスロットの前記１つに前記送信データを割り当てる、
送信装置。
【請求項３】
請求の範囲第１項において、
前記割り当て処理部は、前記複数の受信装置の前記未来予測値の最大のものを選択する、送信装置。
【請求項４】
請求の範囲第１項において、
前記予測処理部は、各受信装置の所定の時間前の過去の１つの受信品質データおよび各受信装置の現在の受信品質データに基づいて、前記データ送信時における各受信装置の前記未来予測値を求める、送信装置。
【請求項５】
請求の範囲第４項において、
各受信装置の前記未来予測値は、前記データ送信時における各受信装置の受信品質データの予測値である、送信装置。
【請求項６】
請求の範囲第１項において、
前記予測処理部は、各受信装置の複数の過去の受信品質データの統計処理または各受信装置の現在の受信品質データと各受信装置の１つもしくは複数の過去の受信品質データとの統計処理を行い、各受信装置の該統計処理結果および各受信装置の現在の受信品質データに基づいて、前記データ送信時における各受信装置の前記未来予測値を求める、送信装置。
【請求項７】
請求の範囲第６項において、
各受信装置の前記未来予測値は、前記データ送信時における各受信装置の受信品質データの予測値である、送信装置。
【請求項８】
請求の範囲第６項において、
前記予測処理部は、各受信装置の複数の過去の受信品質データおよび各受信装置の現在の受信品質データの長区間平均を求め、各受信装置の該長区間平均および各受信装置の現在の受信品質データに基づいて、前記データ送信時における各受信装置の前記未来予測値を求める、送信装置。
【請求項９】
請求の範囲第１項において、
前記予測処理部は、各受信装置の前記１つまたは複数の過去の受信品質データおよび各受信装置の前記現在の受信品質データに基づいて、前記データ送信時における各受信装置の受信品質データを求め、前記データ送信時における各受信装置の受信品質データを所定の増加関数にそれぞれ代入した代入結果と各受信装置の前記現在の受信品質データとをそれぞれ乗算した乗算結果を、各受信装置の前記未来予測値として求める、
送信装置。
【請求項１０】
請求の範囲第１項において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて、前記データ送信時における各受信装置の受信品質データを求め、前記データ送信時における各受信装置の受信品質データを所定の増加関数に代入して関数値を求めると共に、前記統計処理部により求められた各受信装置の統計処理結果により、各受信装置の現在の受信品質データをそれぞれ除算し、前記各受信装置の関数値を各除算結果にそれぞれ乗算することにより、各受信装置の前記未来予測値を求める、
送信装置。
【請求項１１】
請求の範囲第１０項において、
前記統計処理部は、各受信装置の前記複数の過去の受信品質データおよび各受信装置の前記現在の受信品質データの長区間平均を統計処理結果として求める、送信装置。
【請求項１２】
請求の範囲第１項において、
前記予測処理部は、各受信装置の前記１つまたは複数の過去の受信品質データおよび各受信装置の前記現在の受信品質データに基づいて求められるデータ送信時における受信品質データと、各受信装置の前記現在の受信品質データとに依存する所定の増加関数の値を各受信装置の前記現在の受信品質データにそれぞれ乗算した乗算結果を各受信装置の前記未来予測値として求める、
送信装置。
【請求項１３】
請求の範囲第１項において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データとに依存する所定の増加関数の値を各受信装置の前記現在の受信品質データに乗算し、該乗算結果を前記統計処理部による各受信装置の前記統計処理結果によりそれぞれ除算した除算結果を各受信装置の前記未来予測値として求める、
送信装置。
【請求項１４】
請求の範囲第１項において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データを前記統計処理部による各受信装置の前記統計処理結果によりそれぞれ除算した除算結果とに依存する所定の増加関数の値を前記現在の受信品質データに乗算した乗算結果を各受信装置の前記未来予測値として求める、
送信装置。
【請求項１５】
請求の範囲第１項において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データを前記統計処理部による各受信装置の前記統計処理結果によりそれぞれ除算した除算結果とに依存する所定の増加関数の値を各受信装置の前記現在の受信品質データにそれぞれ乗算した乗算結果を、さらに前記統計処理部による各受信装置の前記統計処理結果によりそれぞれ除算した除算結果を、各受信装置の前記未来予測値として求める、
送信装置。
【請求項１６】
請求の範囲第１項において、
前記割り当て処理部により選択された受信装置の現在の受信品質データを、該選択された受信装置に対する送信データの伝送レートに変換すると共に、該伝送レートに、前記選択された受信装置の未来予測値に依存する所定の増加関数の値を乗算することにより、前記伝送レートを該乗算結果に補正する伝送レート補正部をさらに備える送信装置。
【請求項１７】
請求の範囲第１項において、
前記割り当て処理部により選択された受信装置の未来予測値に依存する所定の増加関数の値を前記選択された受信装置の現在の受信品質データに乗算し、該乗算結果を、前記選択された受信装置に対する送信データの伝送レートに変換する伝送レート補正部をさらに備える送信装置。
【請求項１８】
請求の範囲第１項において、
前記割り当て処理部により選択された受信装置の現在の受信品質データを、該選択された受信装置に対する送信データの伝送レートに変換すると共に、前記選択された受信装置の未来予測値および前記選択された受信装置の現在の受信品質データの双方に依存する所定の増加関数の値を前記伝送レートに乗算することにより、前記伝送レートを該乗算結果に補正する伝送レート補正部をさらに備える送信装置。
【請求項１９】
請求の範囲第１項において、
前記割り当て処理部により選択された受信装置の未来予測値および前記選択された受信装置の現在の受信品質データの双方に依存する所定の増加関数の値を、前記選択された受信装置の現在の受信品質データに乗算し、該乗算結果を、前記選択された受信装置に対する送信データの伝送レートに変換する伝送レート補正部をさらに備える送信装置。
【請求項２０】
請求の範囲第１項において、
前記割り当て処理部により選択された受信装置の現在の受信品質データを、該選択された受信装置に対する送信データの伝送レートに変換すると共に、前記選択された受信装置の未来予測値、および、前記選択された受信装置の前記複数の過去の受信品質データの統計処理結果または前記選択された受信装置の前記現在の受信品質データと前記１つもしくは複数の過去の受信品質データとの統計処理結果により前記選択された受信装置の現在の受信品質データを除算した除算結果の双方に依存する所定の増加関数の値を、前記伝送レートに乗算することにより、前記伝送レートを該乗算結果に補正する伝送レート補正部をさらに備える送信装置。
【請求項２１】
請求の範囲第１項において、
前記割り当て処理部により選択された受信装置の未来予測値、および、前記選択された受信装置の前記複数の過去の受信品質データの統計処理結果または前記選択された受信装置の前記現在の受信品質データと前記１つもしくは複数の過去の受信品質データとの統計処理結果により前記選択された受信装置の現在の受信品質データを除算した除算結果の双方に依存する所定の増加関数の値を、前記選択された受信装置の現在の受信品質データに乗算し、該乗算結果を、前記選択された受信装置に対する送信データの伝送レートに変換する伝送レート補正部をさらに備える送信装置。
【請求項２２】
複数の移動局装置の少なくとも１つに、該複数の移動局装置により共有されるチャネルを介して無線信号によりデータを送信する基地局装置であって、
前記複数の移動局装置のそれぞれから周期的に送信される各移動局装置の受信品質データを受信する受信部と、
前記各移動局装置の１つまたは複数の過去の受信品質データを記憶する記憶部と、
前記記憶部に記憶された各移動局装置の１つまたは複数の過去の受信品質データおよび前記受信部に受信された各移動局装置の現在の受信品質データに基づいて、前記チャネルを介したデータ送信時における、各移動局装置の受信品質に関する未来予測値を求める予測処理部と、
前記予測処理部により求められたデータ送信時における各移動局装置の未来予測値に基づいて、移動局装置を選択し、該選択した移動局装置に対する送信データを前記チャネルに割り当てる割り当て処理部と、
を備える基地局装置。
【請求項２３】
複数の受信装置により共有される無線信号チャネルに、該複数の受信装置から選択した受信装置への送信データを割り当てる割り当て方法であって、
前記複数の受信装置のそれぞれから周期的に送信される各受信装置の受信品質データを受信し、
受信した各受信装置の１つまたは複数の過去の受信品質データおよび各受信装置の現在の受信品質データに基づいて、前記無線信号チャネルを介したデータ送信時における、各受信装置の受信品質に関する未来予測値を求め、
前記求めたデータ送信時における各受信装置の未来予測値に基づいて、受信装置を選択し、該選択した受信装置に対する送信データを前記無線信号チャネルに割り当てる、
割り当て方法。
【発明の詳細な説明】
【技術分野】  本発明は、複数の受信装置の少なくとも１つに、該複数の受信装置により共有されるチャネルを介して無線信号によりデータを送信する送信装置に関し、より具体的には、スループットを向上させることができるように、受信装置を選択して、該選択した受信装置への送信データをチャネルに割り当てて該選択した受信装置へ送信する送信装置に関する。また、本発明は、このような技術を適用した基地局装置に関する。さらに、本発明は、複数の受信装置により共有される無線信号チャネルに、該複数の受信装置から選択した受信装置への送信データを割り当てる割り当て方法に関し、より具体的には、スループットの向上が可能な割り当て方法に関する。
【背景技術】  符号分割多元接続（ＣＤＭＡ：Ｃｏｄｅ  Ｄｉｖｉｓｉｏｎ  Ｍｕｌｔｉｐｌｅ  Ａｃｃｅｓｓ）方式、特にＷ−ＣＤＭＡ（Ｗｉｄｅｂａｎｄ  ＣＤＭＡ）方式を採用する第３世代移動通信システムでは、下りチャネルの伝送方式として、高速パケット伝送方式のＨＳＤＰＡ（Ｈｉｇｈ  Ｓｐｅｅｄ  Ｄａｔａ  Ｐａｃｋｅｔ  Ａｃｃｅｓｓ）方式が検討されている。
このＨＳＤＰＡ方式では、符号分割多重と時分割多重とが併用され、各下りチャネルには、時分割多重のための複数のタイムスロットが設けられる。そして、各タイムスロットに移動局（ユーザ）のデータが割り当てられ、送信される。
このようなＨＳＤＰＡ方式では、どのタイムスロットにどのユーザのデータ（パケット）を割り当てるか、すなわちユーザデータの送信タイミングを決定するためのスケジューラがいくつか提案されている。例えば、Ｍａｘｉｍｕｍ  ＣＩＲ法（最大ＣＩＲ法）、Ｐｒｏｐｏｒｔｉｏｎａｌ  Ｆａｉｒｎｅｓｓ法（最大変動ユーザ選択法）等が提案されている（例えば非特許文献１参照）。
Ｍａｘｉｍｕｍ  ＣＩＲ法は、各移動局の受信品質を比較し、受信品質の最も良い移動局のデータを優先的にタイムスロットに割り当てる方法である。Ｐｒｏｐｏｒｔｉｏｎａｌ  Ｆａｉｒｎｅｓｓ法は、各移動局の平均受信品質（各移動局において受信品質を所定の時間で平均化したもの）と瞬時受信品質との比が最も大きくなる移動局のデータを優先的にタイムスロットに割り当てる方法である。このように、いずれもスケジューリング方法も、移動局から通知された受信品質に基づいてタイムスロットの割り当てを決定する。
しかし、スケジューリングを行う実際のスケジューリング装置では、移動局から受信品質を受け取った後、スケジューリングを行い、データをタイムスロットに割り当てて送信するまでに、処理遅延が生じる。この処理遅延によって、基地局から移動局へタイムスロットによりデータを伝送する時、無線伝搬路の状況が変化してしまい、データ伝送レートの割り当て誤りによるスループット低下の問題を生ずるおそれがある。
図１４は、この処理遅延による伝送路の状況の変化を示している。横軸は、時間を示す。縦軸は、移動局から与えられる情報（移動局情報、受信品質）であり、例えば、移動局の信号対干渉比（ＳＩＲ：Ｓｉｇｎａｌ−ｔｏ−Ｉｎｔｅｒｆｅｒｅｎｃｅ  Ｒａｔｉｏ）の値である。移動局は、周期的に移動局情報を基地局に送信する。点Ｐ１の時刻ｔ１は、移動局が自己の受信品質を測定した時刻（基地局における無線パケットをタイムスロットに割り当てる時刻と考えることができる）であり、その値Ｓ１は時刻ｔ１における受信品質の値である。点Ｐ２の時刻ｔ２は、基地局がタイムスロットに割り当てられた無線パケットを移動局に送信する時刻であり、その値Ｓ２は、時刻ｔ２における受信品質の値である。
このように、点Ｐ１とＰ２との間に遅延時間ｄ（＝ｔ２−ｔ１）により、実際にパケットを送信する時の受信品質は、無線パケット割り当て時の受信品質と異なっている。時刻ｔ１の受信品質の値に基づいて選択された移動局にパケットを送信しても、送信時の受信品質が低下している場合には、移動局がデータを受信できなかったり、データ誤りが多く発生したりして、パケット再送等の処理が多く必要となる。その結果、スループットが低下する。
なお、移動局が基地局を選択する従来技術として、移動局が複数の基地局からの信号の受信電界強度の測定をスケジューリングし、効率よく更新先の基地局を選択するものがある（例えば特許文献１参照）。
また、基地局装置が、１つのチャネルを複数の通信端末で使用するシェアードチャネル（ＤＳＣＨ）のスケジューリングやＭＣＳ選択を行う従来技術として、複数の通信端末の送信電力を監視し、監視結果に基づいてシェアードチャネルのスケジューリングを行い、スケジューリングにしたがってシェアードチャネルの送信を行う基地局装置に関するものがある（例えば特許文献２参照）。
【非特許文献１】  信学技法ＲＣＳ２００１−２９１，ｐｐ．５１−５８，Ｍａｒ．２００２．”下りリンク高速パケットにおける各ユーザのスループットに着目したスケジューリング法の特性比較
【特許文献１】  特開２００１−１５７２５８号公報
【特許文献２】  特開２００２−２９０３２７号公報
【発明の開示】
本発明は、スループットを向上させることが送信装置、基地局装置、および送信装置から受信装置へのデータの割り当て方法を提供することを目的とする。
本発明による送信装置は、複数の受信装置の少なくとも１つに、該複数の受信装置により共有されるチャネルを介して無線信号によりデータを送信する送信装置であって、前記複数の受信装置のそれぞれから周期的に送信される各受信装置の受信品質データを受信する受信部と、前記各受信装置の１つまたは複数の過去の受信品質データを記憶する記憶部と、前記記憶部に記憶された各受信装置の１つまたは複数の過去の受信品質データおよび前記受信部に受信された各受信装置の現在の受信品質データに基づいて、前記チャネルを介したデータ送信時における、各受信装置の受信品質に関する未来予測値を求める予測処理部と、前記予測処理部により求められたデータ送信時における各受信装置の未来予測値に基づいて、受信装置を選択し、該選択した受信装置に対する送信データを前記チャネルに割り当てる割り当て処理部と、を備える。
本発明による割り当て方法は、複数の受信装置により共有される無線信号チャネルに、該複数の受信装置から選択した受信装置への送信データを割り当てる割り当て方法であって、前記複数の受信装置のそれぞれから周期的に送信される各受信装置の受信品質データを受信し、受信した各受信装置の１つまたは複数の過去の受信品質データおよび各受信装置の現在の受信品質データに基づいて、前記無線信号チャネルを介したデータ送信時における、各受信装置の受信品質に関する未来予測値を求め、前記求めたデータ送信時における各受信装置の未来予測値に基づいて、受信装置を選択し、該選択した受信装置に対する送信データを前記無線信号チャネルに割り当てるものである。
本発明による基地局装置は、複数の移動局装置の少なくとも１つに、該複数の移動局装置により共有されるチャネルを介して無線信号によりデータを送信する基地局装置であって、前記複数の移動局装置のそれぞれから周期的に送信される各移動局装置の受信品質データを受信する受信部と、前記各移動局装置の１つまたは複数の過去の受信品質データを記憶する記憶部と、前記記憶部に記憶された各移動局装置の１つまたは複数の過去の受信品質データおよび前記受信部に受信された各移動局装置の現在の受信品質データに基づいて、前記チャネルを介したデータ送信時における、各移動局装置の受信品質に関する未来予測値を求める予測処理部と、前記予測処理部により求められたデータ送信時における各移動局装置の未来予測値に基づいて、移動局装置を選択し、該選択した移動局装置に対する送信データを前記チャネルに割り当てる割り当て処理部と、を備える。
本発明によると、データ送信時における各受信装置（各移動局装置）の受信品質に関する未来予測値が求められ、該未来予測値に基づいて、受信装置（移動局装置）が選択される。そして、選択された受信装置（移動局装置）への送信データがチャネルに割り当てられる。すなわち、チャネルへのデータ割り当てに、各受信装置（各移動局装置）の受信品質計測時から送信装置におけるデータ送信時までの処理遅延が考慮される。このように、データ送信時における受信品質に関する未来予測値に基づいて受信装置（移動局装置）が選択されるので、受信状態の最良な受信装置（移動局装置）を正確に選択することができるの、受信装置（移動局装置）側での受信データ誤りの発生率、データ誤りによるデータの再送率が減少し、スループットを向上させることができる。
【図面の簡単な説明】  図１は、本発明が適用される移動通信システムの全体構成を示すブロック図である。
図２は、本発明の第１の実施形態による基地局に設けられた伝送路割り当て装置の構成を示すブロック図である。
図３は、本発明の第２の実施形態による基地局に設けられた伝送路割り当て装置の構成を示すブロック図である。
図４は、本発明の第３の実施形態による基地局に設けられた伝送路割り当て装置の構成を示すブロック図である。
図５は、本発明の第４の実施形態による基地局に設けられた伝送路割り当て装置の構成を示すブロック図である。
図６は、本発明の第５の実施形態による基地局に設けられた伝送路割り当て装置の構成を示すブロック図である。
図７は、本発明の第６の実施形態による基地局に設けられた伝送路割り当て装置の構成を示すブロック図である。
図８は、本発明の第７の実施形態による基地局に設けられた伝送路割り当て装置の構成を示すブロック図である。
図９は、本発明の第８の実施形態による基地局に設けられた伝送路割り当て装置の構成を示すブロック図である。
図１０は、本発明の第９の実施形態による基地局に設けられた伝送路割り当て装置の構成を示すブロック図である。
図１１は、関数ＰＲＣの一例を示している。
図１２は、本発明の第１３の実施形態による基地局に設けられた伝送路割り当て装置の構成を示すブロック図である。
図１３は、移動局情報の変化を示すグラフである。
図１４は、移動局情報の変化を示すグラフである。
【発明を実施するための最良の形態】  以下に、本発明を移動通信システムに適用した場合の実施形態について説明する。
図１は、本発明が適用される移動通信システムの全体構成を示すブロック図である。この移動通信システムは、基地局１００および複数（ｍ個（ｍは２以上の整数）、図１では一例としてｍ＝７）の移動局２００１〜２００ｍ（７）を有し、通信方式としてＷ−ＣＤＭＡ方式を採用し、また、下りリンクにはＨＳＤＰＡ方式を採用する。なお、図１の破線で示す楕円形３００は、基地局１００のエリア（セル）の範囲を示している。
以下では、この移動通信システムの構成要素のうち、基地局１００に本発明を適用した実施形態について説明する。したがって、基地局１００から移動局２００１〜２００ｍに向かう下りリンクのタイムスロットへのユーザデータ（無線パケット）の割り当てに本発明が適用される。
以下に、基地局１００において無線パケットのタイムスロットへの割り当てを行う伝送路割り当て装置の実施形態について説明する。
＜第１の実施形態＞
図２は、本発明の第１の実施形態による基地局１００に設けられた伝送路割り当て装置１の構成を示すブロック図である。この伝送路割り当て装置１は、受信部２１に接続された移動局情報処理部１１、予測処理部１２、および送信部２２に接続された無線パケット割り当て処理部１３を有する。
受信部２１は、アンテナ３により受信された、移動局２００１〜２００ｎからの無線信号の復調、逆拡散、アナログ／ディジタル変換等を行い、受信信号をディジタル信号として移動局情報処理部１１に与える。移動局情報処理部１１は、受信部１１から与えられた受信信号に含まれる、無線パケットの割り当て処理に必要な移動局情報を抽出し、予測処理部１２に与える。
この無線パケットの割り当て処理に必要な移動局情報（ＭＳＣ（Ｍｏｄｕｌａｔｉｏｎ  Ｃｏｄｉｎｇ  Ｓｅｔ）またはＣＱＩ（Ｃｈａｎｎｅｌ  Ｑｕａｌｉｔｙ  Ｉｎｄｉｃａｔｏｒ））としては、例えば、各移動局の受信品質（例えば信号対干渉比（ＳＩＲ：Ｓｉｇｎａｌ−ｔｏ−Ｉｎｔｅｒｆｅｒｅｎｃｅ  Ｒａｔｉｏ）や受信品質に移動局の移動速度を演算（例えば乗算）したもの等）がある。以下では、移動局２００ｉ（ｉ＝１〜ｍ）の移動局情報をＭＣＳｉと表す。
なお、移動局２００ｉは、自己の移動局情報ＭＣＳｉを所定のチャネル（例えばＤＰＣＣＨ−ＨＳ（ＨＳ−ＤＳＣＨ  ａｓｓｏｃｉａｔｅｄ  ｕｐｌｉｎｋ  ｄｅｄｉｃａｔｅｄ  ｃｏｎｔｒｏｌ  ｃｈａｎｎｅｌ））を介して基地局１００に周期的に通知する。そして、基地局１００（予測処理部１２）は、エリア３００に存在する全ての移動局２００１〜２００ｍからほぼ同時に移動局情報ＭＣＳ１〜ＭＳＣｍを受信することができる。
予測処理部１２は、移動局情報処理部１１から与えられた移動局情報ＭＣＳ１〜ＭＣＳｍに基づいて、第ｎ番目のタイムスロットにどのユーザの無線パケットを割り当てるかを決定するための評価値Ｆ１（ｎ）〜Ｆｍ（ｎ）を求める。
評価値Ｆ１（ｎ）〜Ｆｍ（ｎ）は、従来の最大ＣＩＲ法では、以下の式（１）により求められる。
2004098225.tif 000003
ここで、ｉは、上述したように、移動局を特定するためのインデックスであり、１〜ｍのいずれかの整数である。また、ＭＣＳｉ（ｎ）における符号ｎは、第ｎ番目のタイムスロットへの無線パケットの割り当てに使用される移動局情報であることを示している。
すなわち、従来の最大ＣＩＲ法では、現在受信された移動局情報ＭＣＳの値がそのまま評価値となる。そして、無線パケット割り当て処理部１３は、各移動局の評価値を比較し、最大の評価値を有する移動局の無線パケットを第ｎ番目のタイムスロットに割り当てる。しかし、この方法では、背景技術の欄で説明したように、無線パケットがタイムスロットに割り当てられ、実際に送信される時における移動局と基地局との間の通信状態が考慮されないので、必ずしも最適なタイムスロットの割り当てを行うことができない。
そこで、本実施の形態では、処理遅延（制御遅延）を考慮して、送信部２２において下りリンクのタイムスロットｎに無線パケットが配置され、送信される時（以下「送信時」という。）の評価値が予測され、この予測された評価値に基づいてタイムスロットへの割り当てが決定される。
すなわち、移動局２００ｉにおいてＭＣＳｉ（ｎ）が求められた時（または受信部２１、移動局情報処理部１１、もしくは予測処理部１２におけるＭＣＳｉ（ｎ）の受信時）（以下「受信時」という。）から上記送信時までの遅延時間をｄとすると、予測処理部１２は、以下の式（２）により遅延時間ｄを考慮した評価値Ｆｉ（ｎ）を求める。なお、遅延時間ｄは、シミュレーション、実験等により予め求めておくことができる。
2004098225.tif 000004
ここで、ＭＣＳｉ（ｎ＋ｄ）は、遅延時間ｄを考慮した送信時の移動局情報の値（未来予測値）であり、以下の式（３）により表される。
2004098225.tif 000005
ここで、移動局情報ＭＣＳｉ（ｎ−τ）は、第（ｎ−τ）番目のタイムスロットにおける移動局情報、すなわち、第ｎタイムスロットからτ個のタイムスロット分だけ過去の移動局情報である。
関数ＦｕｎｃＡｉは、移動局情報の変動と移動局移動速度に依存する関数であり、現在の移動局情報ＭＣＳｉ（ｎ）および過去の移動局情報ＭＣＳｉ（ｎ−τ）に基づいて、遅延時間ｄ後の移動局情報の値を予測する関数である。
関数ＦｕｎｃＡｉは、例えば一次関数、二次関数等の種々の関数を使用することができ、基地局１００の処理能力、移動局情報の変動等に応じて適切な関数が選択される。そして、選択された関数が、プログラムまたはハードウェア回路として予測処理部１２に設定される。
例えば、関数ＦｕｎｃＡｉが一次関数ｙ＝ａ・ｘ＋ｂである場合には、図１３を参照して、傾きａおよび切片ｂが移動局情報ＭＣＳｉ（ｎ）の点Ｐ１の座標〔ｎ，ＭＣＳｉ（ｎ）〕および移動局情報ＭＣＳｉ（ｎ−τ）の点Ｐ０の座標〔ｎ−τ，ＭＣＳｉ（ｎ−τ）〕により求められる。そして、ａおよびｂが求められた関数ＦｕｎｃＡｉ＝ａ・ｘ＋ｂの変数ｘに遅延時間ｎ＋ｄを代入することにより、未来予測値ＭＣＳｉ（ｎ＋ｄ）が求められる。
また、タイムスロットの個数（時間）τは、各移動局２００ｉの移動速度に応じた値とすることもできるし、移動局の移動速度に関わらず固定値とすることもできる。前者の場合には、τを、例えば、移動速度により求められるフェージング周期の１／４程度の値に設定することができる。また、後者の場合には、予め定められた最大移動速度により求められるフェージング周期の１／４程度の値にτを設定することができる。なお、移動速度は、各移動局が自己の移動速度を求めて、基地局１００に通知することもできるし、基地局１００が各移動局の移動速度を求めることもできる。
このように、遅延時間ｄを考慮することにより、図１３のグラフに示すように、送信時、すなわち点Ｐ２の時刻ｎ＋ｄにおける移動局情報（すなわち未来予測値）が予測される。
予測処理部１２は、上記式（２）および（３）に基づいて、移動局２００１〜２００ｍの評価値（未来予測値）Ｆ１（ｎ）〜Ｆｍ（ｎ）を求め、これら評価値を無線パケット割り当て処理部１３に与える。
無線パケット割り当て処理部１３は、予測処理部１２から与えられた評価値Ｆ１（ｎ）〜Ｆｍ（ｎ）に基づいて第ｎタイムスロットに割り当てる移動局の無線パケットを決定する。無線パケットの決定方法には、例えば既存のＭａｘｉｍｕｍ  ＣＩＲ法（最大ＣＩＲ法）、Ｐｒｏｐｏｒｔｉｏｎａｌ  Ｆａｉｒｎｅｓｓ法（最大変動ユーザ選択法）等を使用することができる。
例えば、Ｍａｘｉｍｕｍ  ＣＩＲ法が使用される場合には、評価値（未来予測値）Ｆ１（ｎ）〜Ｆｍ（ｎ）の中から最大のもの（評価値Ｆｋ（ｎ）とする。）が選択され、最大の評価値Ｆｋ（ｎ）に対応する移動局２００ｋの無線パケットがタイムスロットｎに割り当てられることとなる。
また、無線パケット割り当て処理部１３は、タイムスロットへの無線パケットの割り当てに加えて、評価値Ｆｋ（ｎ）に基づいて、割り当てた無線パケットの変調方式（ＱＰＳＫ，１６ＱＡＭ等）、拡散コード数、送信データ量等を決定する。そして、無線パケット割り当て処理部１３は、選択した移動局２００ｋ（の識別子）（および必要に応じて選択した無線パケットのパケット番号または識別子）、ならびに決定した変調方式、拡散コード数、送信データ量等を送信部２２に与える。
送信部２２は、無線パケット割り当て処理部１３から与えられた情報に基づいて、第ｎ番目のタイムスロットに移動局２００ｋへの無線パケットを配置すると共に無線パケットの拡散、変調等を行い、無線パケットをアンテナ３を介して無線信号により送信する。
このように本実施の形態によると、過去のＭＳＣおよび現在のＭＳＣに基づいて送信時のＭＳＣを予測するので、時間が経つにつれて受信品質が向上する移動局の未来予測値（評価値）は大きくなり、その結果、このような移動局が無線パケット割り当て部１３で選択される確率が高くなる。一方、時間が経つにつれて受信品質が劣化する移動局未来予測値（評価値）は小さくなり、その結果、このような移動局の選択確率が低くなる。したがって、従来のスケジューリング法と比べて、移動局側での受信パケットの廃棄率および廃棄に伴うパケット再送率が減少し、スループットを向上させることができる。
＜第２の実施形態＞
第１の実施形態における過去の移動局情報を、過去の移動局情報の統計値（例えば平均値）とすることもできる。
図３は、本発明の第２の実施形態による基地局１００に設けられた伝送路割り当て装置１の構成を示すブロック図である。この伝送路割り当て装置１は、受信部２１に接続された移動局情報処理部１１、予測処理部１２ａ、統計処理部１４、および送信部２２に接続された無線パケット割り当て処理部１３を有する。第１の実施形態と同じ構成要素（移動局情報処理部１１、無線パケット割り当て処理部１３、受信部２１、送信部２２）には同じ符号を付し、その詳細な説明を省略する。
移動局情報処理部１１により収集された移動局情報ＭＣＳｉ（ｎ）は、統計処理部１４および予測処理部１２ａに与えられる。
統計処理部１４は、所定の期間の過去の移動局情報を保持し、移動局情報処理部１１から与えられた現在の移動局情報ＭＣＳｉ（ｎ）と、保持された過去の移動局情報とに基づいて移動局情報を統計処理し、統計処理結果を予測処理部１２ａに与える。
例えば、統計情報処理部１１は、統計処理として、現在の移動局情報ＭＣＳｉ（ｎ）および過去の１つまたは複数の移動局情報を長区間平均した平均値ａｖｅＭＣＳｉ（ｎ）を統計処理結果として求め、予測処理部１２ａに与える。より具体的には、現在の移動局情報ＭＣＳｉ（ｎ）と、過去の第（ｎ−１）番目〜第（ｎ−４）番目のタイムスロットに対応する４つの移動局情報ＭＣＳｉ（ｎ−１）〜ＭＣＳｉ（ｎ−４）との５つのＭＣＳの平均値ａｖｅＭＣＳｉ（ｎ）を求め、これを統計処理結果として予測処理部１２ａに与える。
予測処理部１２ａは、移動局情報処理部１１から与えられた移動局情報ＭＣＳｉ（ｎ）および統計処理部１４から与えられた統計値、例えば平均値ａｖｅＭＣＳｉ（ｎ）に基づいて評価値（未来予測値）Ｆｉ（ｎ）を上記式（２）により求める。
ここで、上記式（２）におけるＭＣＳｉ（ｎ＋ｄ）は、以下の式（４）により表される。
2004098225.tif 000006
関数ＦｕｎｃＢｉは、移動局情報の変動と移動局移動速度に依存する関数であり、現在の移動局情報ＭＣＳｉ（ｎ）および統計結果（平均値）ａｖｅＭＣＳｉ（ｎ−τ）に基づいて、遅延時間ｄ後の移動局情報の値を予測する関数である。
関数ＦｕｎｃＢｉは、上記第１の実施形態の関数ＦｕｎｃＡｉと同様に、例えば一次関数、二次関数等の種々の関数を使用することができる。例えば、関数ＦｕｎｃＢｉが一次関数ｙ＝ａ・ｘ＋ｂの場合には、移動局情報ＭＣＳｉ（ｎ）に対応する点Ｐ１の座標〔ｎ，ＭＣＳｉ（ｎ）〕（図１３参照）およびａｖｅＭＣＳｉ（ｎ）に対応する座標〔ｎ−２，ａｖｅＭＣＳｉ（ｎ）〕（ｘ座標をｎ−４〜ｎの中点とした場合）から傾きａおよび切片ｂが求められる。そして、ａおよびｂが決定された関数ＦｕｎｃＢｉのｘにｎ＋ｄが代入されて、未来予測値ＭＣＳｉ（ｎ＋ｄ）が求められる。
予測処理部１２ａは、上記式（２）および（４）に基づいて、移動局２００１〜２００ｍの評価値（未来予測値）Ｆ１（ｎ）〜Ｆｍ（ｎ）を求め、これら評価値を無線パケット割り当て処理部１３に与える。無線パケット処理部１３は、第１の実施形態と同様に、評価値Ｆ１（ｎ）〜Ｆｍ（ｎ）に基づいて移動局を選択し、選択した移動局の無線パケットを第ｎ番目のタイムスロットに割り当てる。例えば、評価値Ｆ１（ｎ）〜Ｆｍ（ｎ）のうち、最大の評価値に対応する移動局が選択される。そして、送信部２２では、割り当てられたタイムスロットに無線パケットが配置され、無線信号により送信される。
本実施の形態によっても、時間が経つにつれて受信品質が向上する移動局の評価値は高くなり、その結果、該移動局の選択確率が高くなる一方、受信品質が劣化する移動局は選択確率が低くなる。したがって、従来のスケジューリング法よりもスループットを向上させることができる。
＜第３の実施形態＞
図４は、本発明の第３の実施形態による基地局１００に設けられた伝送路割り当て装置１の構成を示すブロック図である。この伝送路割り当て装置１は、受信部２１に接続された移動局情報処理部１１、予測処理部１２ｂ、および送信部２２に接続された無線パケット割り当て処理部１３を有する。第１の実施形態と同じ構成要素（移動局情報処理部１１、無線パケット割り当て処理部１３、受信部２１、送信部２２）には同じ符号を付し、その詳細な説明を省略する。
予測処理部１２ｂには、現在の移動局情報ＭＣＳｉ（ｎ）が移動局情報処理部１１から与えられる。予測処理部１２ｂは、以下の式（５）により、評価値Ｆｉ（ｎ）を算出する。
2004098225.tif 000007
ここで、ＭＣＳｉ（ｎ＋ｄ）は、前述した第１の実施形態の式（３）により求めたものを使用してもよいし、第２の実施形態の式（４）により求めたものを使用してもよい。
また、関数Ａは、未来予測値ＭＣＳｉ（ｎ＋ｄ）を変数とする増加関数であり、上記関数ＦｕｎｃＡやＦｕｎｃＢと同様に、例えば一次関数、二次関数等の種々の関数（ただし増加関数）を使用することができる。
これにより、評価値Ｆｉ（ｎ）は、現在の移動局情報ＭＣＳｉ（ｎ）を未来予測値ＭＣＳｉ（ｎ＋ｄ）に基づく関数値Ａにより重み付け処理した値となる。
無線パケット割り当て処理部１３は、最大の評価値に対応する移動局を選択し、選択した移動局の無線パケットを第ｎタイムスロットに割り当てる。送信部１４は、上記第１および第２の実施形態と同じであるので説明を省略する。
本実施の形態によると、時間が経つにつれて受信品質が向上する移動局の評価値は高くなり、その結果、選択確率が高くなる一方、受信品質が劣化する移動局は選択確率が低くなるので、従来の最大ＣＩＲ法よりも、スループットを向上させることができる。
なお、移動局情報処理部１１は、現在の移動局情報ＭＣＳｉ（ｎ）を、予測処理部１２ｂに加えて無線パケット割り当て処理部１３に与え、予測処理部１２ｂは、未来予測値ＭＣＳｉ（ｎ＋ｄ）のみを求めて無線パケット割り当て処理部１３に与え、無線パケット割り当て処理部１３が上記式（５）により評価値Ｆｉ（ｎ）を求めてもよい。
＜第４の実施形態＞
図５は、本発明の第４の実施形態による基地局１００に設けられた伝送路割り当て装置１の構成を示すブロック図である。この伝送路割り当て装置１は、受信部２１に接続された移動局情報処理部１１、予測処理部１２ｃ、統計処理部１４ａ、および送信部２２に接続された無線パケット割り当て処理部１３を有する。第１の実施形態と同じ構成要素（移動局情報処理部１１、無線パケット割り当て処理部１３、受信部２１、送信部２２）には同じ符号を付し、その詳細な説明を省略する。
移動局情報処理部１１により収集された移動局情報ＭＣＳｉ（ｎ）は、統計処理部１４ａおよび予測処理部１２ｃに与えられる。
統計処理部１４ａは、移動局情報処理部１１から与えられた移動局情報ＭＣＳｉ（ｎ）に基づいて統計処理を行い、統計処理結果を予測処理部１２ｃに与える。この統計処理結果の一例としては、前述した第２の実施形態と同じ長区間平均ａｖｅＭＣＳｉ（ｎ）を使用することができる。
予測処理部１２ｃは、移動局情報処理部１１から与えられた移動局情報ＭＣＳｉ（ｎ）および統計処理部１４ａから与えられた統計処理結果（例えば長区間平均ａｖｅＭＣＳｉ（ｎ））に基づいて評価値Ｆｉ（ｎ）を求める。以下の式（６）は、統計処理結果として長区間平均を用いた場合の評価値Ｆｉ（ｎ）の算出式である。
2004098225.tif 000008
ここで、関数Ｂは、前述した第３の実施形態における関数Ａと同様に、未来予測値ＭＣＳｉ（ｎ＋ｄ）を変数とする増加関数である。
これにより、評価値は、未来予測値ＭＣＳｉ（ｎ＋ｄ）に依存する冠するを重み付け処理した値となる。
無線パケット割り当て処理部１３は、最大の評価値に対応する移動局を選択し、選択した移動局の無線パケットを第ｎタイムスロットに割り当てる。送信部１４は、上記第１および第２の実施形態と同じであるので説明を省略する。
本実施の形態によると、時間が経つにつれて受信品質が向上する移動局の評価値は高くなり（選択確率が高くなる）、受信品質が劣化する移動局は選択確率が低くなるので、従来のＰｒｏｐｏｒｔｉｏｎａｌ  Ｆａｉｒｎｅｓｓ法と比べてスループットを向上させることができる。
なお、統計処理部１４ａは、統計処理結果および現在の移動局情報を無線パケット割り当て処理部１３に与え、予測処理部１２ｃは、未来予測値ＭＣＳｉ（ｎ＋ｄ）のみを求めて無線パケット割り当て処理部１３に与え、無線パケット割り当て処理部１３が上記式（６）により評価値Ｆｉ（ｎ）を求めてもよい。
＜第５の実施形態＞
図６は、本発明の第５の実施形態による基地局１００に設けられた伝送路割り当て装置１の構成を示すブロック図である。この伝送路割り当て装置１は、受信部２１に接続された移動局情報処理部１１、予測処理部１２ｄ、および送信部２２に接続された無線パケット割り当て処理部１３を有する。第１の実施形態と同じ構成要素（移動局情報処理部１１、無線パケット割り当て処理部１３、受信部２１、送信部２２）には同じ符号を付し、その詳細な説明を省略する。
移動局情報処理部１１により収集された移動局情報ＭＣＳｉ（ｎ）は、予測処理部１２ｄに与えられる。
予測処理部１２ｄは、移動局情報処理部１１から与えられた移動局情報ＭＣＳｉ（ｎ）に基づいて、以下の式（７）により評価値Ｆｉ（ｎ）を求める。
2004098225.tif 000009
ここで、未来予測値ＭＣＳｉ（ｎ＋ｄ）は、これまで述べた実施形態のものを使用することができる。また、関数Ｃは、現在の移動局情報ＭＣＳｉ（ｎ）および未来予測値ＭＣＳｉ（ｎ＋ｄ）に依存する増加関数である。
例えば、現在の移動局情報ＭＣＳｉ（ｎ）と所定の閾値とを比較し、移動局情報ＭＣＳｉ（ｎ）が所定の閾値以上である場合（すなわち受信品質が相対的に良い場合）には、増加関数Ｃ＝ａ１・ＭＣＳｉ（ｎ＋ｄ）＋ｂとし、移動局情報ＭＣＳｉ（ｎ）が所定の閾値未満である場合（すなわち受信品質が相対的に悪い場合）には、増加関数Ｃ＝ａ２・ＭＣＳｉ（ｎ＋ｄ）＋ｂ（ただし０＜ａ１＜ａ２）とすることができる。受信品質が相対的に良い場合には、変調方式として例えば１６ＱＡＭ方式を使用し、受信品質が相対的に悪い場合には、変調方式として例えばＱＰＳＫ方式を使用するといった場合には、変調方式（および拡散コード数、送信データ量）に応じて増加関数Ｃを変更することにより、スループットをより一層向上させることができる。
この式（７）によると、重み付け尺度を移動局情報ＭＣＳｉ（ｎ）によって設定することができる。
無線パケット割り当て処理部１３および送信部２２の処理は、これまで述べた実施の形態と同じであるので、説明を省略する。
本実施の形態によっても、時間が経つにつれて受信品質が向上する移動局の評価値は高くなり（選択確率が高くなる）、受信品質が劣化する移動局は選択確率が低くなるので、従来の最大ＣＩＲ法と比べてスループットを向上させることができる。
なお、移動局情報処理部１１は、現在の移動局情報ＭＣＳｉ（ｎ）を、予測処理部１２ｄに加えて無線パケット割り当て処理部１３に与え、予測処理部１２ｃは、未来予測値ＭＣＳｉ（ｎ＋ｄ）のみを求めて無線パケット割り当て処理部１３に与え、無線パケット割り当て処理部１３が上記式（７）により評価値Ｆｉ（ｎ）を求めてもよい。
＜第６の実施形態＞
図７は、本発明の第６の実施形態による基地局１００に設けられた伝送路割り当て装置１の構成を示すブロック図である。この伝送路割り当て装置１は、受信部２１に接続された移動局情報処理部１１、予測処理部１２ｅ、統計処理部１４ｂ、および送信部２２に接続された無線パケット割り当て処理部１３を有する。第１および第４の実施形態と同じ構成要素（移動局情報処理部１１、無線パケット割り当て処理部１３、受信部２１、送信部２２、統計処理部１４ａ）には同じ符号を付し、その詳細な説明を省略する。
移動局情報処理部１１により収集された移動局情報ＭＣＳｉ（ｎ）は、統計処理部１４ａおよび予測処理部１２ｅに与えられる。
統計処理部１４ａは、第４の実施形態で説明したように、移動局情報ＭＣＳｉ（ｎ）に基づいて統計処理を行い、統計処理結果（例えば長区間平均ａｖｅＭＣＳｉ（ｎ））を予測処理部１２ｅに与える。
予測処理部１２ｅは、移動局情報ＭＣＳｉ（ｎ）および統計処理結果に基づいて評価値Ｆｉ（ｎ）を求める。以下の式（８）は、統計処理結果として長区間平均を用いた場合の評価値Ｆｉ（ｎ）の算出式である。
2004098225.tif 000010
ここで、未来予測値ＭＣＳｉ（ｎ＋ｄ）は、これまで述べた実施形態のものを使用することができる。また、関数Ｄは、現在の移動局情報ＭＣＳｉ（ｎ）および未来予測値ＭＣＳｉ（ｎ＋ｄ）に依存する増加関数であり、例えば、前述した第５の実施形態における関数Ｃと同様のものを使用することができる。この式（８）によると、重み付け尺度を移動局情報ＭＣＳｉ（ｎ）によって設定することができる。
無線パケット割り当て処理部１３および送信部２２の処理は、これまで述べた実施の形態と同じであるので、説明を省略する。
本実施の形態によると、時間が経つにつれて受信品質が向上する移動局の評価値は高くなり（選択確率が高くなる）、受信品質が劣化する移動局は選択確率が低くなるので、従来のＰｒｏｐｏｒｔｉｏｎａｌ  Ｆａｉｒｎｅｓｓ法と比べてスループットを向上させることができる。
なお、統計処理部１４ａは、統計処理結果および現在の移動局情報を無線パケット割り当て処理部１３に与え、予測処理部１２ｅは、未来予測値ＭＣＳｉ（ｎ＋ｄ）のみを求めて無線パケット割り当て処理部１３に与え、無線パケット割り当て処理部１３が上記式（８）により評価値Ｆｉ（ｎ）を求めてもよい。
＜第７の実施形態＞
図８は、本発明の第７の実施形態による基地局１００に設けられた伝送路割り当て装置１の構成を示すブロック図である。この伝送路割り当て装置１は、受信部２１に接続された移動局情報処理部１１、予測処理部１２ｆ、および送信部２２に接続された無線パケット割り当て処理部１３を有する。第１の実施形態と同じ構成要素（移動局情報処理部１１、無線パケット割り当て処理部１３、受信部２１、送信部２２）には同じ符号を付し、その詳細な説明を省略する。
移動局情報処理部１１により収集された移動局情報ＭＣＳｉ（ｎ）は、予測処理部１２ｆに与えられる。
予測処理部１２ｆは、移動局情報ＭＣＳｉ（ｎ）に基づいて、以下の式（９）により評価値Ｆｉ（ｎ）を求める。
2004098225.tif 000011
ここで、関数ｆｉ（ｎ）は、以下の式（１０）に示すように、現在の移動局情報ＭＣＳｉ（ｎ）を長区間平均ａｖｅＭＣＳｉ（ｎ）で割ったものを使用することができる。
2004098225.tif 000012
また、関数Ｅは、未来予測値ＭＣＳｉ（ｎ＋ｄ）および関数ｆｉ（ｎ）の値に依存する増加関数である。例えば、関数ｆｉ（ｎ）の値と所定の閾値とを比較し、ｆｉ（ｎ）の値が所定の閾値以上である場合（すなわち受信品質が相対的に良い場合）には、増加関数Ｅ＝ａ３・ＭＣＳｉ（ｎ＋ｄ）＋ｃとし、ｆｉ（ｎ）の値が所定の閾値未満である場合（すなわち受信品質が相対的に悪い場合）には、増加関数Ｃ＝ａ４・ＭＣＳｉ（ｎ＋ｄ）＋ｃ（ただし０＜ａ３＜ａ４）とすることができる。受信品質が相対的に良い場合には、変調方式として例えば１６ＱＡＭ方式を使用し、受信品質が相対的に悪い場合には、変調方式として例えばＱＰＳＫ方式を使用するといった場合には、変調方式に応じて増加関数Ｅを変更することにより、スループットをより一層向上させることができる。
この式（９）によると、重み付け尺度をｆｉ（ｎ）によって設定することができる。
無線パケット割り当て処理部１３および送信部２２の処理は、これまで述べた実施の形態と同じであるので、説明を省略する。
本実施の形態によっても、時間が経つにつれて受信品質が向上する移動局の評価値は高くなり（選択確率が高くなる）、受信品質が劣化する移動局は選択確率が低くなるので、従来のＭａｘｉｍｕｍ  ＣＩＲ法と比べてスループットを向上させることができる。
なお、移動局情報処理部１１は、現在の移動局情報ＭＣＳｉ（ｎ）を、予測処理部１２ｆに加えて無線パケット割り当て処理部１３に与え、予測処理部１２ｆは、未来予測値ＭＣＳｉ（ｎ＋ｄ）およびｆｉ（ｎ）を求めて無線パケット割り当て処理部１３に与え、無線パケット割り当て処理部１３が上記式（９）により評価値Ｆｉ（ｎ）を求めてもよい。
＜第８の実施形態＞
図９は、本発明の第８の実施形態による基地局１００に設けられた伝送路割り当て装置１の構成を示すブロック図である。この伝送路割り当て装置１は、受信部２１に接続された移動局情報処理部１１、予測処理部１２ｅ、統計処理部１４ｂ、および送信部２２に接続された無線パケット割り当て処理部１３を有する。第１および第４の実施形態と同じ構成要素（移動局情報処理部１１、無線パケット割り当て処理部１３、受信部２１、送信部２２、統計処理部１４ａ）には同じ符号を付し、その詳細な説明を省略する。
移動局情報処理部１１により収集された移動局情報ＭＣＳｉ（ｎ）は、統計処理部１４ａおよび予測処理部１２ｇに与えられる。
統計処理部１４ａは、第４の実施形態で説明したように、移動局情報ＭＣＳｉ（ｎ）に基づいて統計処理を行い、統計処理結果（例えば長区間平均ａｖｅＭＣＳｉ（ｎ））を予測処理部１２ｇに与える。
予測処理部１２ｇは、移動局情報ＭＣＳｉ（ｎ）および統計処理結果に基づいて評価値Ｆｉ（ｎ）を求める。以下の式（１１）は、統計処理結果として長区間平均を用いた場合の評価値Ｆｉ（ｎ）の算出式である。
2004098225.tif 000013
ここで、ｆｉ（ｎ）は、上記第７の実施形態の式（１０）に示すものであり、関数Ｆは、上記第７の実施形態の関数Ｅと同じものを使用することができる。
無線パケット割り当て処理部１３および送信部２２の処理は、これまで述べた実施の形態と同じであるので、説明を省略する。
本実施の形態によっても、これまで述べた実施形態と同様に、従来のＰｒｏｐｏｒｔｉｏｎａｌ  Ｆａｉｒｎｅｓｓ法と比べてスループットを向上させることができる。
なお、統計処理部１４ａは、統計処理結果および現在の移動局情報を無線パケット割り当て処理部１３に与え、予測処理部１２ｇは、未来予測値ＭＣＳｉ（ｎ＋ｄ）を求めて無線パケット割り当て処理部１３に与え、無線パケット割り当て処理部１３が上記式（１１）により評価値Ｆｉ（ｎ）を求めてもよい。
＜第９の実施形態＞
未来予測値ＭＣＳｉ（ｎ＋ｄ）に基づいて、移動局２００ｉへの伝送レート（送信データ量）を補正することもできる。
図１０は、本発明の第９の実施形態による基地局１００に設けられた伝送路割り当て装置１の構成を示すブロック図である。この伝送路割り当て装置１は、受信部２１に接続された移動局情報処理部１１、予測処理部１２、および送信部２２に接続された無線パケット割り当て処理部１３を有する。また、無線パケット割り当て処理部１３は、さらに、伝送レート補正部１３０を有する。第１の実施形態と同じ構成要素（移動局情報処理部１１、予測処理部１２、無線パケット割り当て処理部１３、受信部２１、送信部２２）には同じ符号を付し、その詳細な説明を省略する。
無線パケット割り当て処理部１３では、これまでの実施形態で説明したように、予測処理部１２から与えられたｍ個の評価値Ｆ１（ｎ）〜Ｆｍ（ｎ）が比較され、最大の評価値に対応する移動局（移動局２００ｋ）を選択される。そして、該移動局２００ｋの無線パケットが第ｎタイムスロットに割り当てられる。
この割り当ての際に、伝送レート補正部１３０は、第ｎタイムスロットに割り当てられる無線パケットの伝送レートを補正する。すなわち、伝送レート補正部１３０は、移動局情報処理部１１から移動局情報ＭＣＳｉ（ｎ）を受け取ると共に、予測処理部１２から未来予測値ＭＣＳｉ（ｎ＋ｄ）を受け取り、さらに、無線パケット割り当て処理部１３から、選択された移動局の情報（移動局の識別子等）を受け取る。そして、伝送レート補正部１３０は、選択された移動局の移動局情報（ＭＣＳｓｅｌ（ｎ）とする。）および未来予測値（ＭＣＳｓｅｌ（ｎ＋ｄ）とする。）に基づいて、以下の式（１２）により、補正後の伝送レートＲ（ｎ）を求める。
2004098225.tif 000014
ここで、関数ＰＲＣは、現在の移動局情報ＭＣＳｓｅｌ（ｎ）を伝送レートに変換する関数である。図１１は、関数ＰＲＣの一例を示している。横軸はＭＣＳｓｅｌ（ｎ）であり、縦軸は伝送レート（Ｋｂｐｓ）である。例えば、ａ＜ＭＣＳｓｅｌ（ｎ）≦ｂの場合には、伝送レートは６００Ｋｂｐｓであり、ｂ＜ＭＣＳｓｅｌ（ｎ）≦ｃの場合には、伝送レートは１２００Ｋｂｐｓである。ａ〜ｇのそれぞれの具体的な値は、実験、シミュレーション、実際の運用等により適切な値に設定される。なお、伝送レートの数字の後の括弧書きは、変調方式ＱＰＳＫまたは１６ＱＡＭを示している。
式（１２）のＧ［ＭＣＳｓｅｌ（ｎ＋ｄ）］は、関数ＰＲＣにより求められた伝送レートを未来予測値ＭＣＳｓｅｌ（ｎ＋ｄ）に基づいて補正する補正項である。関数Ｇは、増加関数であり、これまで述べた実施形態の関数Ａ等と同じ関数を使用することができる。
無線パケット割り当て処理部１３は、伝送レート補正部１３によって求められた補正後の伝送レートＲ（ｎ）に第ｎタイムスロットの時間を乗算し、データ量を求める。そして、無線パケット割り当て処理部１３は、このデータ量を送信部２２に与える。
本実施の形態によると、時間が経つにつれて受信品質が向上する移動局の無線パケットの伝送レートを高く補正し、受信品質が劣化する移動局の無線パケット伝送レートを低く補正するので、処理遅延による伝送レートの誤差を抑制し、スループットを向上させることができる。
＜第１０の実施形態＞
図１０の伝送レート補正部１３０は、以下の式（１３）により伝送レートを補正することもできる。
2004098225.tif 000015
すなわち、上記第９の実施形態の式（１２）では、関数ＰＲＣの値に関数Ｇの値を乗算しているが、本実施形態の式（１３）では、関数ＰＲＣの変数の値に関数Ｇの値が乗算され、乗算後の値が伝送レートに変換される。
本実施形態によっても、時間が経つにつれて受信品質が向上する移動局の無線パケット伝送レートは高く補正し、受信品質が劣化する移動局の無線パケット伝送レートは低く補正するので、制御処理遅延による伝送レート誤差を抑制し、スループットを向上させることができる。
＜第１１の実施形態＞
図１０の伝送レート補正部１３０は、以下の式（１４）により伝送レートを補正することもできる。
2004098225.tif 000016
ここで、関数Ｉは、上記第５の実施形態の関数Ｃと同じものを使用することができる。重み付け尺度は移動局情報ＭＣＳｓｅｌ（ｎ）によって設定することができる。
本実施形態によっても、時間の経過に伴い受信品質が向上する移動局の無線パケット伝送レートは高く補正し、受信品質が劣化する移動局の無線パケット伝送レートは低く補正するので、処理遅延による伝送レート誤差を抑制し、スループットを向上させることができる。
＜第１２の実施形態＞
図１０の伝送レート補正部１３０は、以下の式（１５）により伝送レートを補正することもできる。
2004098225.tif 000017
すなわち、上記第１１の実施形態の式（１４）では、関数ＰＲＣの値に関数Ｉの値を乗算しているが、本実施形態の式（１５）では、関数ＰＲＣの変数の値に関数Ｊの値が乗算され、乗算後の値が伝送レートに変換される。
関数Ｊとしては、上記第５の実施形態の関数Ｃと同じものを使用することができる。重み付け尺度は移動局情報ＭＣＳｓｅｌ（ｎ）によって設定できる。
本実施形態によっても、時間の経過に伴い受信品質が向上する移動局の無線パケット伝送レートは高く補正し、受信品質が劣化する移動局の無線パケット伝送レートは低く補正するので、処理遅延による伝送レート誤差を抑制し、スループットを向上させることができる。
＜第１３の実施形態＞
図１２は、本発明の第１３の実施形態による基地局１００に設けられた伝送路割り当て装置１の構成を示すブロック図である。この伝送路割り当て装置１は、受信部２１に接続された移動局情報処理部１１、予測処理部１２ａ、統計処理部１４、および送信部２２に接続された無線パケット割り当て処理部１３を有する。また、無線パケット割り当て処理部１３は、さらに、伝送レート補正部１３０ａを有する。これまでの実施形態と同じ構成要素（移動局情報処理部１１、予測処理部１２ａ、統計処理部１４、無線パケット割り当て処理部１３、受信部２１、送信部２２）には同じ符号を付し、その詳細な説明を省略する。
統計処理部１４は、移動局情報ＭＣＳｉ（ｎ）に基づいて統計処理を行い、統計処理結果（例えば長区間平均ａｖｅＭＣＳｉ（ｎ））を無線パケット割り当て処理部１３（伝送レート補正部１３０ａ）に与える。予測処理部１２ａは、未来予測値ＭＣＳｉ（ｎ＋ｄ）を無線パケット割り当て処理部１３（伝送レート補正部１３０ａ）に与える。
伝送レート補正部１３０ａは、現在の移動局情報ＭＣＳｉ（ｎ）、統計処理結果（ここでは長区間平均ａｖｅＭＣＳｉ（ｎ））、および未来予測値ＭＣＳｉ（ｎ＋ｄ）に基づいて、以下の式（１６）および（１７）により、伝送レートＲ（ｎ）を求める。
2004098225.tif 000018
ここで、関数Ｋは、上記第７の実施形態と同じものを使用することができる。これにより、重み付け尺度を移動局情報ｆｓｅｌ（ｎ）によって設定できる。
本実施形態によっても、時間が経つにつれて受信品質が向上する移動局の無線パケット伝送レートは高く補正し、受信品質が劣化する移動局の無線パケット伝送レートは低く補正するので、制御処理遅延による伝送レート誤差を抑制し、スループットを向上させることができる。
＜第１４の実施形態＞
上記第１３の実施形態における伝送レート補正部１３０ａは、以下の式（１８）により、伝送レートＲ（ｎ）を求めることもできる。
2004098225.tif 000019
すなわち、上記第１３の実施形態の式（１６）では、関数ＰＲＣの値に関数Ｋの値を乗算しているが、本実施形態の式（１３）では、関数ＰＲＣの変数の値に関数Ｌの値が乗算され、乗算後の値が伝送レートに変換される。関数Ｌとしては、上記関数Ｋと同じものを使用することができる。これにより、重み付け尺度を移動局情報ｆｓｅｌ（ｎ）によって設定できる。
本実施形態によっても、時間が経つにつれて受信品質が向上する移動局の無線パケット伝送レートは高く補正し、受信品質が劣化する移動局の無線パケット伝送レートは低く補正するで、制御処理遅延による伝送レート誤差を抑制し、スループットを向上させることができる。
これまで述べた実施の形態は、本発明を基地局に提供したものであるが、本発明は基地局に限定されるものでなく、複数の受信装置にデータを送信する際に、いずれかの受信装置を選択し、選択した受信装置にデータを送信する任意の送信装置に適用することができる。
【産業上の利用の可能性】
本発明は、複数の受信装置（移動局装置）の少なくとも１つに、該複数の受信装置（移動局装置）により共有されるチャネルを介して無線信号によりデータを送信する送信装置（基地局装置）に適用することができる。
本発明によると、チャネルへのデータ割り当てに、各受信装置（各移動局装置）の受信品質計測時から送信装置におけるデータ送信時までの処理遅延が考慮され、データ送信時における受信品質に関する未来予測値に基づいて受信装置（移動局装置）が選択される。したがって受信状態の最良な受信装置（移動局装置）をより一層正確に選択することができるの、受信装置（移動局装置）側での受信データ誤りの発生率、データ誤りによるデータの再送率が減少し、スループットを向上させることができる。
【図１】
2004098225.tif 000020
【図２】
2004098225.tif 000021
【図３】
2004098225.tif 000022
【図４】
2004098225.tif 000023
【図５】
2004098225.tif 000024
【図６】
2004098225.tif 000025
【図７】
2004098225.tif 000026
【図８】
2004098225.tif 000027
【図９】
2004098225.tif 000028
【図１０】
2004098225.tif 000029
【図１１】
2004098225.tif 000030
【図１２】
2004098225.tif 000031
【図１３】
2004098225.tif 000032
【図１４】
2004098225.tif 000033
【手続補正書】
【提出日】平成17年5月10日(2005.5.10)
【手続補正１】
【補正対象書類名】明細書
【補正対象項目名】特許請求の範囲
【補正方法】変更
【補正の内容】
【特許請求の範囲】
【請求項1】複数の受信装置の少なくとも１つに、該複数の受信装置により共有されるチャネルを介して無線信号によりデータを送信する送信装置であって、
前記複数の受信装置のそれぞれから周期的に送信される各受信装置の受信品質データを受信する受信部と、
前記各受信装置の１つまたは複数の過去の受信品質データを記憶する記憶部と、
前記記憶部に記憶された各受信装置の１つまたは複数の過去の受信品質データおよび前記受信部に受信された各受信装置の現在の受信品質データに基づいて、前記チャネルを介したデータ送信時における、各受信装置の受信品質に関する未来予測値を求める予測処理部と、
前記予測処理部により求められたデータ送信時における各受信装置の未来予測値に基づいて、受信装置を選択し、該選択した受信装置に対する送信データを前記チャネルに割り当てる割り当て処理部と、
を備える送信装置。
【請求項2】請求項１において、
前記チャネルは、複数のタイムスロットを有し、
前記データ送信時は、前記複数のタイムスロットの１つの送信時刻であり、
前記割り当て処理部は、前記複数のタイムスロットの前記１つに前記送信データを割り当てる、
送信装置。
【請求項3】請求項１において、
前記割り当て処理部は、前記複数の受信装置の前記未来予測値の最大のものを選択する、送信装置。
【請求項4】請求項１において、
前記予測処理部は、各受信装置の所定の時間前の過去の１つの受信品質データおよび各受信装置の現在の受信品質データに基づいて、前記データ送信時における各受信装置の前記未来予測値を求める、送信装置。
【請求項5】請求項１において、
前記予測処理部は、各受信装置の複数の過去の受信品質データの統計処理または各受信装置の現在の受信品質データと各受信装置の１つもしくは複数の過去の受信品質データとの統計処理を行い、各受信装置の該統計処理結果および各受信装置の現在の受信品質データに基づいて、前記データ送信時における各受信装置の前記未来予測値を求める、送信装置。
【請求項6】請求項１において、
前記予測処理部は、各受信装置の前記１つまたは複数の過去の受信品質データおよび各受信装置の前記現在の受信品質データに基づいて、前記データ送信時における各受信装置の受信品質データを求め、前記データ送信時における各受信装置の受信品質データを所定の増加関数にそれぞれ代入した代入結果と各受信装置の前記現在の受信品質データとをそれぞれ乗算した乗算結果を、各受信装置の前記未来予測値として求める、
送信装置。
【請求項7】請求項１において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて、前記データ送信時における各受信装置の受信品質データを求め、前記データ送信時における各受信装置の受信品質データを所定の増加関数に代入して関数値を求めると共に、前記統計処理部により求められた各受信装置の統計処理結果により、各受信装置の現在の受信品質データをそれぞれ除算し、前記各受信装置の関数値を各除算結果にそれぞれ乗算することにより、各受信装置の前記未来予測値を求める、
送信装置。
【請求項8】請求項７において、
前記統計処理部は、各受信装置の前記複数の過去の受信品質データおよび各受信装置の前記現在の受信品質データの長区間平均を統計処理結果として求める、送信装置。
【請求項9】請求項１において、
前記予測処理部は、各受信装置の前記１つまたは複数の過去の受信品質データおよび各受信装置の前記現在の受信品質データに基づいて求められるデータ送信時における受信品質データと、各受信装置の前記現在の受信品質データとに依存する所定の増加関数の値を各受信装置の前記現在の受信品質データにそれぞれ乗算した乗算結果を各受信装置の前記未来予測値として求める、
送信装置。
【請求項10】請求項１において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データとに依存する所定の増加関数の値を各受信装置の前記現在の受信品質データに乗算し、該乗算結果を前記統計処理部による各受信装置の前記統計処理結果によりそれぞれ除算した除算結果を各受信装置の前記未来予測値として求める、
送信装置。
【請求項11】請求項１において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データを前記統計処理部による各受信装置の前記統計処理結果によりそれぞれ除算した除算結果とに依存する所定の増加関数の値を前記現在の受信品質データに乗算した乗算結果を各受信装置の前記未来予測値として求める、
送信装置。
【請求項12】請求項１において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データを前記統計処理部による各受信装置の前記統計処理結果によりそれぞれ除算した除算結果とに依存する所定の増加関数の値を各受信装置の前記現在の受信品質データにそれぞれ乗算した乗算結果を、さらに前記統計処理部による各受信装置の前記統計処理結果によりそれぞれ除算した除算結果を、各受信装置の前記未来予測値として求める、
送信装置。
【請求項13】請求項１において、
前記割り当て処理部により選択された受信装置の現在の受信品質データを、該選択された受信装置に対する送信データの伝送レートに変換すると共に、該伝送レートに、前記選択された受信装置の未来予測値に依存する所定の増加関数の値を乗算することにより、前記伝送レートを該乗算結果に補正する伝送レート補正部をさらに備える送信装置。
【請求項14】請求項１において、
前記割り当て処理部により選択された受信装置の未来予測値に依存する所定の増加関数の値を前記選択された受信装置の現在の受信品質データに乗算し、該乗算結果を、前記選択された受信装置に対する送信データの伝送レートに変換する伝送レート補正部をさらに備える送信装置。
【請求項15】請求項１において、
前記割り当て処理部により選択された受信装置の現在の受信品質データを、該選択された受信装置に対する送信データの伝送レートに変換すると共に、前記選択された受信装置の未来予測値および前記選択された受信装置の現在の受信品質データの双方に依存する所定の増加関数の値を前記伝送レートに乗算することにより、前記伝送レートを該乗算結果に補正する伝送レート補正部をさらに備える送信装置。
【請求項16】請求項１において、
前記割り当て処理部により選択された受信装置の未来予測値および前記選択された受信装置の現在の受信品質データの双方に依存する所定の増加関数の値を、前記選択された受信装置の現在の受信品質データに乗算し、該乗算結果を、前記選択された受信装置に対する送信データの伝送レートに変換する伝送レート補正部をさらに備える送信装置。
【請求項17】請求項１において、
前記割り当て処理部により選択された受信装置の現在の受信品質データを、該選択された受信装置に対する送信データの伝送レートに変換すると共に、前記選択された受信装置の未来予測値、および、前記選択された受信装置の前記複数の過去の受信品質データの統計処理結果または前記選択された受信装置の前記現在の受信品質データと前記１つもしくは複数の過去の受信品質データとの統計処理結果により前記選択された受信装置の現在の受信品質データを除算した除算結果の双方に依存する所定の増加関数の値を、前記伝送レートに乗算することにより、前記伝送レートを該乗算結果に補正する伝送レート補正部をさらに備える送信装置。
【請求項18】請求項１において、
前記割り当て処理部により選択された受信装置の未来予測値、および、前記選択された受信装置の前記複数の過去の受信品質データの統計処理結果または前記選択された受信装置の前記現在の受信品質データと前記１つもしくは複数の過去の受信品質データとの統計処理結果により前記選択された受信装置の現在の受信品質データを除算した除算結果の双方に依存する所定の増加関数の値を、前記選択された受信装置の現在の受信品質データに乗算し、該乗算結果を、前記選択された受信装置に対する送信データの伝送レートに変換する伝送レート補正部をさらに備える送信装置。
【請求項19】複数の移動局装置の少なくとも１つに、該複数の移動局装置により共有されるチャネルを介して無線信号によりデータを送信する基地局装置であって、
前記複数の移動局装置のそれぞれから周期的に送信される各移動局装置の受信品質データを受信する受信部と、
前記各移動局装置の１つまたは複数の過去の受信品質データを記憶する記憶部と、
前記記憶部に記憶された各移動局装置の１つまたは複数の過去の受信品質データおよび前記受信部に受信された各移動局装置の現在の受信品質データに基づいて、前記チャネルを介したデータ送信時における、各移動局装置の受信品質に関する未来予測値を求める予測処理部と、
前記予測処理部により求められたデータ送信時における各移動局装置の未来予測値に基づいて、移動局装置を選択し、該選択した移動局装置に対する送信データを前記チャネルに割り当てる割り当て処理部と、
を備える基地局装置。
【請求項20】複数の受信装置により共有される無線信号チャネルに、該複数の受信装置から選択した受信装置への送信データを割り当てる割り当て方法であって、
前記複数の受信装置のそれぞれから周期的に送信される各受信装置の受信品質データを受信し、
受信した各受信装置の１つまたは複数の過去の受信品質データおよび各受信装置の現在の受信品質データに基づいて、前記無線信号チャネルを介したデータ送信時における、各受信装置の受信品質に関する未来予測値を求め、
前記求めたデータ送信時における各受信装置の未来予測値に基づいて、受信装置を選択し、該選択した受信装置に対する送信データを前記無線信号チャネルに割り当てる、
割り当て方法。
【手続補正書】
【提出日】平成17年9月6日(2005.9.6)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
複数の受信装置の少なくとも１つに、該複数の受信装置により共有されるチャネルを介して無線信号によりデータを送信する送信装置であって、
前記複数の受信装置のそれぞれから周期的に送信される各受信装置の受信品質データを受信する受信部と、
前記各受信装置の１つまたは複数の過去の受信品質データを記憶する記憶部と、
前記記憶部に記憶された各受信装置の１つまたは複数の過去の受信品質データおよび前記受信部に受信された各受信装置の現在の受信品質データに基づいて、前記チャネルを介したデータ送信時における、各受信装置の受信品質に関する未来予測値を求める予測処理部と、
前記予測処理部により求められたデータ送信時における各受信装置の未来予測値に基づいて、受信装置を選択し、該選択した受信装置に対する送信データを前記チャネルに割り当てる割り当て処理部と、
を備える送信装置。
【請求項２】
請求項１において、
前記チャネルは、複数のタイムスロットを有し、
前記データ送信時は、前記複数のタイムスロットの１つの送信時刻であり、
前記割り当て処理部は、前記複数のタイムスロットの前記１つに前記送信データを割り当てる、
送信装置。
【請求項３】
請求項１において、
前記割り当て処理部は、前記複数の受信装置の前記未来予測値の最大のものを選択する、送信装置。
【請求項４】
請求項１において、
前記予測処理部は、各受信装置の所定の時間前の過去の１つの受信品質データおよび各受信装置の現在の受信品質データに基づいて、前記データ送信時における各受信装置の前記未来予測値を求める、送信装置。
【請求項５】
請求項１において、
前記予測処理部は、各受信装置の複数の過去の受信品質データの統計処理または各受信装置の現在の受信品質データと各受信装置の１つもしくは複数の過去の受信品質データとの統計処理を行い、各受信装置の該統計処理結果および各受信装置の現在の受信品質データに基づいて、前記データ送信時における各受信装置の前記未来予測値を求める、送信装置。
【請求項６】
請求項１において、
前記予測処理部は、各受信装置の前記１つまたは複数の過去の受信品質データおよび各受信装置の前記現在の受信品質データに基づいて、前記データ送信時における各受信装置の受信品質データを求め、前記データ送信時における各受信装置の受信品質データを所定の増加関数にそれぞれ代入した代入結果と各受信装置の前記現在の受信品質データとをそれぞれ乗算した乗算結果を、各受信装置の前記未来予測値として求める、
送信装置。
【請求項７】
請求項１において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて、前記データ送信時における各受信装置の受信品質データを求め、前記データ送信時における各受信装置の受信品質データを所定の増加関数に代入して関数値を求めると共に、前記統計処理部により求められた各受信装置の統計処理結果により、各受信装置の現在の受信品質データをそれぞれ除算し、前記各受信装置の関数値を各除算結果にそれぞれ乗算することにより、各受信装置の前記未来予測値を求める、
送信装置。
【請求項８】
請求項７において、
前記統計処理部は、各受信装置の前記複数の過去の受信品質データおよび各受信装置の前記現在の受信品質データの長区間平均を統計処理結果として求める、送信装置。
【請求項９】
請求項１において、
前記予測処理部は、各受信装置の前記１つまたは複数の過去の受信品質データおよび各受信装置の前記現在の受信品質データに基づいて求められるデータ送信時における受信品質データと、各受信装置の前記現在の受信品質データとに依存する所定の増加関数の値を各受信装置の前記現在の受信品質データにそれぞれ乗算した乗算結果を各受信装置の前記未来予測値として求める、
送信装置。
【請求項１０】
請求項１において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データとに依存する所定の増加関数の値を各受信装置の前記現在の受信品質データに乗算し、該乗算結果を前記統計処理部による各受信装置の前記統計処理結果によりそれぞれ除算した除算結果を各受信装置の前記未来予測値として求める、
送信装置。
【請求項１１】
請求項１において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データを前記統計処理部による各受信装置の前記統計処理結果によりそれぞれ除算した除算結果とに依存する所定の増加関数の値を前記現在の受信品質データに乗算した乗算結果を各受信装置の前記未来予測値として求める、
送信装置。
【請求項１２】
請求項１において、
各受信装置の前記複数の過去の受信品質データの統計処理または各受信装置の前記現在の受信品質データと各受信装置の前記１つもしくは複数の過去の受信品質データとの統計処理を行って各受信装置の統計処理結果を求める統計処理部をさらに備え、
前記予測処理部は、各受信装置の前記１つまたは複数の過去の受信品質データおよび各受信装置の前記現在の受信品質データに基づいて求められるデータ送信時における各受信装置の受信品質データと、各受信装置の前記現在の受信品質データを前記統計処理部による各受信装置の前記統計処理結果によりそれぞれ除算した除算結果とに依存する所定の増加関数の値を各受信装置の前記現在の受信品質データにそれぞれ乗算した乗算結果を、さらに前記統計処理部による各受信装置の前記統計処理結果によりそれぞれ除算した除算結果を、各受信装置の前記未来予測値として求める、
送信装置。
【請求項１３】
請求項１において、
前記割り当て処理部により選択された受信装置の現在の受信品質データを、該選択された受信装置に対する送信データの伝送レートに変換すると共に、該伝送レートに、前記選択された受信装置の未来予測値に依存する所定の増加関数の値を乗算することにより、前記伝送レートを該乗算結果に補正する伝送レート補正部をさらに備える送信装置。
【請求項１４】
請求項１において、
前記割り当て処理部により選択された受信装置の未来予測値に依存する所定の増加関数の値を前記選択された受信装置の現在の受信品質データに乗算し、該乗算結果を、前記選択された受信装置に対する送信データの伝送レートに変換する伝送レート補正部をさらに備える送信装置。
【請求項１５】
請求項１において、
前記割り当て処理部により選択された受信装置の現在の受信品質データを、該選択された受信装置に対する送信データの伝送レートに変換すると共に、前記選択された受信装置の未来予測値および前記選択された受信装置の現在の受信品質データの双方に依存する所定の増加関数の値を前記伝送レートに乗算することにより、前記伝送レートを該乗算結果に補正する伝送レート補正部をさらに備える送信装置。
【請求項１６】
請求項１において、
前記割り当て処理部により選択された受信装置の未来予測値および前記選択された受信装置の現在の受信品質データの双方に依存する所定の増加関数の値を、前記選択された受信装置の現在の受信品質データに乗算し、該乗算結果を、前記選択された受信装置に対する送信データの伝送レートに変換する伝送レート補正部をさらに備える送信装置。
【請求項１７】
請求項１において、
前記割り当て処理部により選択された受信装置の現在の受信品質データを、該選択された受信装置に対する送信データの伝送レートに変換すると共に、前記選択された受信装置の未来予測値、および、前記選択された受信装置の前記複数の過去の受信品質データの統計処理結果または前記選択された受信装置の前記現在の受信品質データと前記１つもしくは複数の過去の受信品質データとの統計処理結果により前記選択された受信装置の現在の受信品質データを除算した除算結果の双方に依存する所定の増加関数の値を、前記伝送レートに乗算することにより、前記伝送レートを該乗算結果に補正する伝送レート補正部をさらに備える送信装置。
【請求項１８】
請求項１において、
前記割り当て処理部により選択された受信装置の未来予測値、および、前記選択された受信装置の前記複数の過去の受信品質データの統計処理結果または前記選択された受信装置の前記現在の受信品質データと前記１つもしくは複数の過去の受信品質データとの統計処理結果により前記選択された受信装置の現在の受信品質データを除算した除算結果の双方に依存する所定の増加関数の値を、前記選択された受信装置の現在の受信品質データに乗算し、該乗算結果を、前記選択された受信装置に対する送信データの伝送レートに変換する伝送レート補正部をさらに備える送信装置。
【請求項１９】
複数の移動局装置の少なくとも１つに、該複数の移動局装置により共有されるチャネルを介して無線信号によりデータを送信する基地局装置であって、
前記複数の移動局装置のそれぞれから周期的に送信される各移動局装置の受信品質データを受信する受信部と、
前記各移動局装置の１つまたは複数の過去の受信品質データを記憶する記憶部と、
前記記憶部に記憶された各移動局装置の１つまたは複数の過去の受信品質データおよび前記受信部に受信された各移動局装置の現在の受信品質データに基づいて、前記チャネルを介したデータ送信時における、各移動局装置の受信品質に関する未来予測値を求める予測処理部と、
前記予測処理部により求められたデータ送信時における各移動局装置の未来予測値に基づいて、移動局装置を選択し、該選択した移動局装置に対する送信データを前記チャネルに割り当てる割り当て処理部と、
を備える基地局装置。
【請求項２０】
複数の受信装置により共有される無線信号チャネルに、該複数の受信装置から選択した受信装置への送信データを割り当てる割り当て方法であって、
前記複数の受信装置のそれぞれから周期的に送信される各受信装置の受信品質データを受信し、
受信した各受信装置の１つまたは複数の過去の受信品質データおよび各受信装置の現在の受信品質データに基づいて、前記無線信号チャネルを介したデータ送信時における、各受信装置の受信品質に関する未来予測値を求め、
前記求めたデータ送信時における各受信装置の未来予測値に基づいて、受信装置を選択し、該選択した受信装置に対する送信データを前記無線信号チャネルに割り当てる、
割り当て方法。
【国際調査報告】
2004098225.tif 000034
2004098225.tif 000035
2004098225.tif 000036
2004098225.tif 000037